(57)【要約】【課題】扉のハンドルのレバーに設けられた作動杆の傷付きや変形を抑制する。【解決手段】本発明に係る扉のハンドルは、扉に取り付けられる基体１と、基体１へ軸止されたレバー２と、回動にて扉から出没する掛金３とを備え、レバー２は起立して扉の引き手となり、掛金３は扉から突出して扉を留め、レバー２には前記起伏に伴って回動する作動杆４が設けられ、レバー２を伏せることで作動杆４は掛金３を押し回転させて扉から突出させると共に扉から没する方向への回転を規制する。作動杆４が備える当接案内部７は、掛金３との当接位置に設けられ、当接案内部７は、掛金３との当接部位の少なくとも一部をなし、当接案内部７は、掛金３に向け凸状となる凸曲面である。【選択図】          図３
2017115293.tif 000002
【特許請求の範囲】
【請求項１】
開口を閉鎖する扉に設けられるものであって、前記扉に取り付けられる基体と、前記基体に対し起伏自在に軸止されたレバーと、回動にて前記扉から出没する掛金とを備え、前記レバーは起立状態にて前記扉の引き手となるものであり、前記掛金は前記扉から突出して扉を開口へ留めるものであり、前記レバーにはレバーの前記起伏に伴って回動する作動杆が設けられ、前記レバーを伏せることにて前記作動杆は、前記掛金を押して掛金を前記扉から突出する方向へ回転させると共に前記掛金の前記扉から没する方向への回転を規制する扉のハンドルにおいて、
前記作動杆は、当接案内部を備え、
前記当接案内部は、前記作動杆において掛金の前記回転により変位する前記掛金との当接位置に設けられ、前記当接案内部は、前記掛金との当接部位の少なくとも一部をなすものであり、
前記当接案内部は、前記掛金に向け凸状となる凸曲面である扉のハンドル。
【請求項２】
開口を閉鎖する扉に設けられるものであって、前記扉に取り付けられる基体と、前記基体に対し起伏自在に軸止されたレバーと、回動にて前記扉から出没する掛金とを備え、前記レバーは起立状態にて前記扉の引き手となるものであり、前記掛金は前記扉から突出して扉を開口へ留めるものであり、前記レバーにはレバーの前記起伏に伴って回動する作動杆が設けられ、前記レバーを起立させることにて前記作動杆は、前記掛金を押して前記掛金を前記扉から没する方向へ回転させると共に前記掛金の前記扉から突出する方向への回転を規制する扉のハンドルにおいて、
前記作動杆は、当接案内部を備え、
前記当接案内部は、前記作動杆において掛金の前記回転により変位する前記掛金との当接位置に設けられ、前記当接案内部は、前記掛金との当接部位の少なくとも一部をなすものであり、
前記当接案内部は、前記掛金に向け凸状となる凸曲面である扉のハンドル。
【請求項３】
前記ハンドルは平面ハンドルであり、前記基体は、前記レバーを収容するケーシングであり、
前記基体は前記レバーを起伏する側を前面として、前記掛金は、前記基体の後面へ軸止され当該後面に沿って回動して前記扉から出没するものであり、
前記基体は、前記扉を表裏に貫通する扉の貫通部へ取り付けられて、前記レバーを前記扉の正面側へ配置し、前記掛金を前記扉の背面側へ配置するものであり、
前記作動杆は、前記レバーに形成され、前記基体の後部に設けられた開放部を通じて、前記基体の後方へ突出し、
前記掛金は、開放部から後方へ突出する前記作動杆を掛金の後方へ通す挿通部を備えた板状体であり、
前記当接案内部は、基体の後方へ突出する前記作動杆の側面に設けられたものであり、
前記挿通部の縁が前記当接案内部と当接する部位を被案内部として備えることを特徴とする請求項１又は２記載の扉のハンドル。
【請求項４】
当接案内部のなす前記凸曲面の凸の頂部は、前記作動杆の前記掛金と当接する側面において前記作動杆の突出する方向に沿って伸びる尾根をなすものである請求項３記載に記載の扉のハンドル。
【請求項５】
前記当接案内部は、少なくとも前記作動杆における前記掛金との当接範囲を被覆するものであり、前記当接案内部は、前記作動杆における前記当接案内部以外の部位よりも硬質な金属素材にて形成されたことを特徴とする請求項４記載に記載の扉のハンドル。
【請求項６】
当接案内部のなす前記凸曲面は、前記作動杆の前記掛金を臨む面から、略球面状に突出する請求項３記載の扉のハンドル。
【請求項７】
当接案内部のなす前記凸曲面は、前記作動杆に設けられた受容部へ受容されて作動杆の前記側面から一部露出する、金属球であることを特徴とする請求項６記載の扉のハンドル。
【請求項８】
当接案内部のなす前記凸曲面は、前記作動杆の前記側面に設けられた受容部へ嵌められたリベットの、頭部であることを特徴とする請求項６記載の扉のハンドル。
【発明の詳細な説明】
【技術分野】
【０００１】
本発明は、扉のハンドルに関するものである。
【背景技術】
【０００２】
従来から扉のハンドルとして、開口を閉鎖する扉に設けられるものであって、前記扉に取り付けられる基体と、前記基体に対し起伏自在に軸止されたレバーと、回動にて前記扉から出没する掛金とを備え、前記レバーは起立状態にて前記扉の引き手となるものであり、前記掛金は前記扉から突出して扉を開口へ留めるものであり、前記レバーにはレバーの前記起伏に伴って回動する作動杆が設けられ、前記レバーを伏せることにて前記作動杆は、前記掛金を押して掛金を前記扉から突出する方向へ回転させると共に前記掛金の前記扉から没する方向への回転を規制するものが散見される。
このような扉のハンドルとして、特許文献１へ示す、扉の開閉と施錠を行う平面ハンドルが普及している。平面ハンドルは、例えば配電盤を収容する配電ボックスの扉などに広く使用されている。
【０００３】
特許文献１に示すものは、前面とその反対側の背面とを有する扉パネルの開口に嵌合して固着されるケーシング２（基体）と、このケーシング２に一端側において枢軸４２により枢支され、この枢軸を中心に扉パネルの前面側へ起伏回転可能で、ばね４３によって起立方向へ回転付勢されるハンドル３（レバー）と、このハンドル３の起伏回転に連動してロック位置と非ロック位置との間を往復回転するように前記ケーシング３の背面側に装着されるラッチ板４（掛金）と、伏倒状態の前記ハンドル３の他端側に隣接して前記ケーシング２に設けられ、ハンドル３を伏倒状態に拘束する拘束位置とハンドル３の起立回転を許容する非拘束位置との間を移動自在で、常時は拘束位置にあるように付勢されるストッパ５とを具備し、前記ハンドル３は、前記ケーシング２の背面側へ突出して前記ラッチ板４と係合する駆動突子４１を具備し、ハンドルの起伏回転に伴う駆動突子４１の回動によってラッチ板４を回転駆動する扉用ロックハンドル装置１である。
【０００４】
前記ケーシング２は、主要部が合成樹脂で一体成形され、前記ラッチ板４は、金属で形成され、前記ハンドル３は、合成樹脂製の本体と、この本体にインサート成型により一体に設けられた金属製の駆動突子４１とを具備し、この駆動突子４１は、前記ハンドル本体４０内に埋没し当該ハンドル本体４０に沿って延びるステム部４７と、このステム部４７の一端側から所定角度で延びてハンドル本体４０から突出する突出部４８（作動杆）と、ステム部４７と突出部４８と間に位置してハンドル本体４０内に埋没し枢軸を貫通させる軸孔を有する軸受け部とを具備する。特に、前記ハンドル本体４０は、前記扉パネルの前面とほぼ平行に配置される前面と、その反対側の背面とを有し、前記駆動突子４１は、金属板材で形成され、その厚さ方向が前記ハンドル本体４０の背面と平行になるように配置され、前記ステム部４７の一部がハンドル本体４０の背面から隆起して延びており、前記ハンドル本体４０は、前記駆動突子４１のステム部を埋没させるように、ハンドル本体４０の背面から隆起したリブ５０を有する。
【先行技術文献】
【特許文献】
【０００５】
【特許文献１】特開４７９１５２３号公報
【発明の概要】
【発明が解決しようとする課題】
【０００６】
特許文献１のタイプのハンドル装置において、その図２〜図６、図１０へ示すように、突出部４８即ち作動杆は、ラッチ板４即ち掛金を押し回転させる際に、当該掛金との接触により傷付き、当該掛金に引っ掛かって円滑な掛金の回転駆動が困難になることがある。
また、前記掛金との接触により、前記作動杆へ負荷が掛かり、前記作動杆が曲がることもあり、このような変形によってレバーが畳み難くなるものであった。
本発明の発明者は、このような原因とし、本願に添付の図７（Ａ）〜（Ｃ）へ示す通り、前記作動杆（突出部４８）における掛金（ラッチ板４）との当接部位ｆが平らな面として掛金を臨むものであることに起因とすると考えた。特に当該平らな面は前記作動杆の隣接する他の側面との間で角ｆ１をなし、当該角ｆ１が回転する上記掛金との接触を円滑に行うのを阻害する要因と考えられる。
尚、本願に添付の図７（Ａ）〜（Ｃ）は特許文献１の図２、図５及び図６である。本願に添付の図７（Ａ）〜（Ｃ）における上記ｆ，ｆ１以外の記号、及び本願に添付の明細書の「背景技術」と当該「発明が解決しようとする課題」の欄の各部材番号や記号は特許文献１のものであり、本願に添付の明細書の「図面の簡単な説明」、「発明を実施するための形態」の欄及び図面の各部材番号や記号と無関係である。
【０００７】
通常、鉄製のラッチ板４に対して、突出部４８は材料コストを下げるために亜鉛にて形成されており、上記平らな形状や角を備えることで、より傷つき易く負荷を受けて変形し易いものとなっている。
本発明は、上記作動杆の改良により、上記の問題点の解決を図るものである。
【課題を解決するための手段】
【０００８】
本発明は、開口を閉鎖する扉に設けられるものであって、前記扉に取り付けられる基体と、前記基体に対し起伏自在に軸止されたレバーと、回動にて前記扉から出没する掛金とを備え、前記レバーは起立状態にて前記扉の引き手となるものであり、前記掛金は前記扉から突出して扉を開口へ留めるものであり、前記レバーにはレバーの前記起伏に伴って回動する作動杆が設けられ、前記レバーを伏せることにて前記作動杆は、前記掛金を押して掛金を前記扉から突出する方向へ回転させると共に前記掛金の前記扉から没する方向への回転を規制する扉のハンドルについて、次の構成を採るものである。
即ち、前記作動杆は、当接案内部を備え、前記当接案内部は、前記作動杆において掛金の前記回転により変位する前記掛金との当接位置に設けられ、前記当接案内部は、前記掛金との当接部位の少なくとも一部をなすものであり、前記当接案内部は、前記掛金に向け凸状となる凸曲面である。
また、本発明は、開口を閉鎖する扉に設けられるものであって、前記扉に取り付けられる基体と、前記基体に対し起伏自在に軸止されたレバーと、回動にて前記扉から出没する掛金とを備え、前記レバーは起立状態にて前記扉の引き手となるものであり、前記掛金は前記扉から突出して扉を開口へ留めるものであり、前記レバーにはレバーの前記起伏に伴って回動する作動杆が設けられ、前記レバーを起立させることにて前記作動杆は、前記掛金を押して前記掛金を前記扉から没する方向へ回転させると共に前記掛金の前記扉から突出する方向への回転を規制する金扉のハンドルについて、次の構成を採るものである。
即ち、前記作動杆は、当接案内部を備え、前記当接案内部は、前記作動杆において掛金の前記回転により変位する前記掛金との当接位置に設けられ、前記当接案内部は、前記掛金との当接部位の少なくとも一部をなすものであり、前記当接案内部は、前記掛金に向け凸状となる凸曲面である。
更に本発明では、前記ハンドルは平面ハンドルであり、前記基体は、前記レバーを収容するケーシングであり、前記基体は前記レバーを起伏する側を前面として、前記掛金は、前記基体の後面へ軸止され当該後面に沿って回動して前記扉から出没するものであり、前記基体は、前記扉を表裏に貫通する扉の貫通部へ取り付けられて、前記レバーを前記扉の正面側へ配置し、前記掛金を前記扉の背面側へ配置するものであり、前記作動杆は、前記レバーに形成され、前記基体の後部に設けられた開放部を通じて、前記基体の後方へ突出し、前記掛金は、開放部から後方へ突出する前記作動杆を掛金の後方へ通す挿通部を備えた板状体であり、前記当接案内部は、基体の後方へ突出する前記作動杆の側面に設けられたものであり、前記挿通部の縁が前記当接案内部と当接する部位を被案内部として備える扉のハンドルを提供できた。
また更に本発明では、当接案内部のなす前記凸曲面の凸の頂部は、前記作動杆の前記掛金と当接する側面において前記作動杆の突出する方向に沿って伸びる尾根をなすものである扉のハンドルを提供できた。
更にまた本発明では、前記当接案内部は、少なくとも前記作動杆における前記掛金との当接範囲を被覆するものであり、前記当接案内部は、前記作動杆における前記当接案内部以外の部位よりも硬質な金属素材にて形成された扉のハンドルを提供できた。
また本発明では、当接案内部のなす前記凸曲面は、前記作動杆の前記掛金を臨む面から、略球面状に突出する扉のハンドルを提供できた。
更に本発明では、当接案内部のなす前記凸曲面は、前記作動杆に設けられた受容部へ受容されて作動杆の前記側面から一部露出する、金属球である扉のハンドルを提供できた。
更にまた本発明では、当接案内部のなす前記凸曲面は、前記作動杆の前記側面に設けられた受容部へ嵌められたリベットの、頭部である扉のハンドルを提供できた。
【発明の効果】
【０００９】
本願発明では、前記作動杆が、掛金との当接部位の少なくとも一部をなす当接案内部を備え、当接案内部を、掛金に向け凸状となる凸曲面とすることによって、レバーの起伏時、作動杆の作動による掛金の回転を円滑にできるものとした。その結果、作動杆を傷付き難く変形し難いものとした。
【図面の簡単な説明】
【００１０】
【図１】（Ａ）はレバーを閉じて施錠した状態の平面ハンドルｈの使用状態を示す正面図、（Ｂ）は（Ａ）の側面図。
【図２】（Ａ）は図１（Ｃ）へ示す平面ハンドルｈの掛金を掛けた状態にした背面図、（Ｂ）は図１（Ａ）の略平面図、（Ｃ）は（Ａ）の面ハンドルｈの掛金を外した状態にした背面図。
【図３】（Ａ）は図１（Ａ）の平面ハンドルｈのレバーを伏した状態の縦断面図、（Ｂ）は（Ａ）の平面ハンドルｈのレバーを起こした状態の縦断面図。
【図４】（Ａ）は図１（Ａ）の平面ハンドルｈのレバーの背面図、（Ｂ）は（Ａ）のレバーの側面図、（Ｃ）は（Ａ）のレバーの平面図、（Ｄ）は（Ａ）のレバーの底面図。
【図５】（Ａ）は図２（Ｃ）へ示す作動杆の一部切欠斜視図、（Ｂ）は（Ａ）の略縦断面図、（Ｃ）は前記作動杆の他の実施の形態を示す略縦断面図、（Ｄ）は前記作動杆のまた他の実施の形態を示す略縦断面図、（Ｅ）は前記作動杆の更に他の実施の形態を示す略縦断面図、（Ｆ）は前記作動杆のまた更に他の実施の形態を示す一部切欠斜視図、（Ｇ）は前記作動杆の更にまた他の実施の形態を示す一部切欠略背面図、（Ｈ）は（Ｇ）へ示す作動杆の一部切欠側面図、（Ｉ）は前記作動杆のまた他の実施の形態を示す一部切欠斜視図。
【図６】（Ａ）は図５（Ｆ）へ示す実施の形態の側面図、（Ｂ）は（Ａ）へ示す実施の形態の略背面図、（Ｃ）は（Ａ）（Ｂ）の変更例を示す一部切欠側面図、（Ｄ）は（Ｃ）へ示す実施の形態の一部切欠略背面図、（Ｅ）は（Ａ）（Ｂ）及び図５（Ｆ）の更に他の変更例を示す一部切欠斜視図、（Ｆ）は（Ｅ）へ示す実施の形態の一部切欠側面図、（Ｇ）は（Ｅ）へ示す実施の形態の一部切欠略背面図、（Ｈ）は（Ｅ）へ示す実施の形態の一部切欠略平面図。
【図７】（Ａ）は従来の平面ハンドルの使用状態を示す背面図、（Ｂ）は（Ａ）の平面ハンドルのレバーを伏した状態の縦断面図、（Ｃ）は（Ｂ）のを示す平面ハンドルのレバーを起こした状態の縦断面図。
【発明を実施するための形態】
【００１１】
以下、図面に基づき本願発明の実施の形態を説明する。尚、説明の便宜上、各図において、Ｕを平面ハンドルｈの上方、Ｓを平面ハンドルｈの下方、Ｆを平面ハンドルｈの前方、Ｂを平面ハンドルｈの後方、Ｌを平面ハンドルｈの左方、Ｒを平面ハンドルｈの右方を示す。
【００１２】
（基本構成）
図１（Ａ）（Ｂ）へ示す通り、この平面ハンドルｈは、配電盤ボックスｔの本体ｔ１の開口を閉じる扉ｔ２に取り付けられて、扉ｔ２の把手として使用される。
即ち、この平面ハンドルｈは、上記扉ｔ２のハンドル取付面ｔ３に設けられた取付孔ｔ４へ挿入されて当該扉ｔ２へ固定される（図１（Ｂ））。扉ｔ２を閉じた状態において平面ハンドルｈは、掛金３を扉ｔ２の先端から突出させ、当該掛金３を配電盤ボックスｔの本体ｔ１へ設けられた掛金受け部ｔ６へ係止させるものである（図１（Ａ））。
図１（Ａ）（Ｂ）へ示す通り、平面ハンドルｈは、上記取付孔ｔ４へ装着される基体１と、当該基体１に対して起伏するレバー２と、掛金３と、レバー２の起伏によって掛金３を回転させる作動杆４と、レバー２を起立する方向へ付勢する付勢部材５（図３及び図４（Ｂ））と、付勢部材５の付勢に抗してレバー２を基体１へ伏した状態に拘束するストッパ６とを備える。
上記の作動杆４は当接案内部７を備える（図２（Ａ）（Ｃ））。また、この平面ハンドルｈは、レバー２を基体１へ伏した状態に固定して施錠する錠部材８を備える。
以下各部の構成について詳述する。
【００１３】
（基体１）
図１（Ｂ）へ示すように、上記基体１は、ケーシング本体１０と、固定部材１１と、パッキン１２とを備えるケーシングである。以下必要に応じて基体１をケーシング１と呼ぶ。
固定部材１１とパッキン１２とは、夫々ケーシング本体１０と別体に形成されている。尚図１及び図２において固定部材１１は斑点で示す部材である。
ケーシング本体１０には、収容部１３と、フランジ１４とが形成されている（図３（Ｂ））。
収容部１３は、ケーシング本体１０の正面から後方へ後退する凹部であり、上記レバー２を収容する。収容部１３はケーシング本体１０の背面側においては隆起部である（図３（Ｂ））。上記のレバー２は、ケーシング本体１０の前面に開口する収容部１３から出没する（図３（Ｂ））。この例では、収容部１３は、上下に伸び、レバー２は縦に収容され先端を下方に向ける。但し、収容部１３を、左右に伸びるものとし、レバー２を横に収容するものとしても実施できる（図示しない）。
ケーシング本体１０には、ケーシング本体１０を前後に貫通する開放部１５が設けられている。
【００１４】
フランジ１４は、上記収容部１３の開口周縁に設けられて、扉ｔ２の上記取付面ｔ３に当接する鍔である（図１（Ｂ）及び図３）。
ケーシング本体１０の後面から隆起する収容部１３の背面側が、扉ｔ２の上記取付孔ｔ４へ挿入される（図１（Ｂ））。
パッキン１２は、扉ｔ２の上記取付孔ｔ４へケーシング１を取り付ける前に、上記フランジ１４の後面に取り付けられる。パッキン１２は、環状に形成されている。パッキン１２は、弾力性と防水性を備えた素材にて形成されている。パッキン１２は、ケーシング本体１０の背面において収容部１３を取り囲むように配置される。
パッキン１２をフランジ１４の背面に配置する際、図１（Ｂ）へ示す通り、収容部１３を取付孔ｔ４へ挿入した状態において、パッキン１２は、扉ｔ２の取付面ｔ３を備える部位の、取付面ｔ３と反対側の面（反対面ｔ５）と当接する。
図１（Ｂ）及び図２へ示す通り、上記収容部１３を取付孔ｔ４へ挿入した状態において、上記の固定部材１１が、収容部１３の背面側へ配され周知の留具１６（図２）にて固定される。上記フランジ１４と固定部材１１とにて、扉ｔ２の上記取付面ｔ３が設けられた部位を前後から挟むことにて、平面ハンドルｈは、扉ｔ２へ固定される。
上記の留具１６には、ネジ、ボルトまたはピンといった周知の固定手段を採用することができる。
【００１５】
（レバー２）
レバー２は、図１、図３及び図４へ示す通り、扉ｔ２を開閉する際の引き手として賦形されたものである。各図において、２０はレバー２の先端を示し、２１はレバーの後端を示す。
レバー２は、軸ｇにてケーシング１に軸止され（図３及び図４（Ｂ））、上記の通りケーシング１に対してレバー２の先端側を起伏可能とする。
この例では、レバー２の軸ｇより先端２０側へ上記錠部材８が設けられている。錠部材８はレバー２を伏してケーシング１へ畳んだ状態において、レバー２前面に錠部材８の前面８０を露出させる。錠部材８前面８０に設けられた鍵穴８１から鍵を差し込んで操作することによって、ケーシング１内へラッチ８２（図４（Ｂ））を突出させることができる。突出したラッチ８２は、ケーシング１の収容部１３内に設けられた受容部（図示しない。）に入り、レバー２をケーシング１から開かないようにロックし扉を施錠する。鍵を上記鍵穴８１へ挿入して操作することによりラッチ８２をレバー２内へ没せしめて解錠することができる。
【００１６】
（付勢部材５）
付勢部材５は、図３へ示す通りケーシング１の収容部１３内に収容されている。付勢部材５は、レバー２とケーシング１との間に介され、レバー２を起立する方向へ付勢する。
付勢部材５は、反発性を有する部材である。この例では付勢部材５にはばねを採用する。
【００１７】
（ストッパ６）
ストッパ６は、図３へ示す通りケーシング１に設けられ、付勢部材５の付勢に抗して、ケーシング１へ収容されたレバー２の先端２０側を拘束する。
この例では、ストッパ６は、ケーシング１へ回動可能に軸止されたボタン６０と、ボタン６０をレバー２の先端２０を拘束する方向へ付勢する付勢手段６１とを備える。付勢手段６１は、反発性を有する部材である。この例では付勢手段６１にはばねを採用する。付勢手段６１の付勢に抗してボタン６０を押し込むことで、ボタン６０が回転してレバー２の先端２０を解放する。解放されたレバー２０は付勢部材５の付勢により起立する。
【００１８】
（掛金３）
掛金３は、図２へ示す通り、枢軸３１にてケーシング１の背面へ軸止されており、ケーシング１の背面に沿って回動することができる金属製の板である。この例では枢軸３１はケーシング１の背面へ取り付けられた留め具である。枢軸３１とする留め具は、ネジやボルトといった周知のものを採用することができる。
掛金３は、上記回動により先端３０側の向きを変えて、掛金受け部ｔ６から出入りするものである。掛金３には、上記先端３０と枢軸３１にて軸止された回転の中心部との間へ掛金３の表裏即ち掛金３を前後に貫通する穴が挿通部３２として設けられている。
【００１９】
挿通部３２は、作動杆４をケーシング１側から挿通して掛金３の後方へ突出させることができる貫通穴である。但し挿通部３２は貫通穴とせずに掛金３の外縁に設けた切欠部としても実施できる。
挿通部３２の内縁は、作動杆４と当接して作動杆４から押圧される被案内部３３を備える。即ち、上記被案内部３３は、挿通部３２の内縁の一部である。をまた、ケーシング１の背面には挿通部３２へ挿入されるガイド１７が設けられている。ガイド１７には、ネジやボルトといった周知の留具を採用することができる。ガイド１７はケーシング１背面から後方へ突出して挿通部３２へ入る突起であればよく、前記留具に限定するものではない。
ガイド１７は、作動杆４との当接が解除された掛金３の回転を規制するものである。掛金３が作動杆４から解放されると、掛金３は自重にて枢軸３１を中心として先端３０側を下方へ向けるように回転する。当該回転の際、ガイド１７と当接して当該回転の下限を規定する規制部３４が、挿通部３２の内縁に備えられている。掛金３の上記回転に伴い、ガイド１７は枢軸３１を中心とする弧状の軌跡描くよう掛金３に対し相対的に位置を変える。挿通部３２は、ガイド１７の上記相対的な変位を許容する遊びを有する空間を提供する。またこの例では、掛金３の先端を掛金受け部ｔ６から離脱させる方向への掛金３の回転時、作動杆４は挿通部３２の内縁から離れて掛金３の当該回転を何ら規制するものではない。
尚、作動杆４とガイド１７とは、同じ挿通部３２へ通されて、挿通部３２の内縁の異なる箇所の夫々へ当接する。但し、ガイド１７を通す第２の挿通部を、上記挿通部３２と別にガイド１７専用の挿通部として掛金３に設けるものとしても実施できる。
【００２０】
（作動杆４）
作動杆４はレバー２の起伏に伴って回転する。この例では作動杆４はレバー２と一体に形成されている。即ちレバー２の軸ｇよりも後端２１側へ設けられてレバー２後方へ突出する。尚当該後方というのは、この例ではレバー２を畳んで縦にした状態において、平面ハンドルｈの後方Ｂ側ということである。但し作動杆４はレバー２と別体に形成されてケーシング１へ軸止されレバー２との当接にてレバー２と連動して作動するものとしても実施できる。
【００２１】
（当接案内部７）
当接案内部７は、作動杆４の掛金３と当接する面において、挿通部３２の前記被案内部３３と当接する位置に設けられている。即ち、当接案内部７は、作動杆４において掛金３の前記回転により変位する掛金３との当接部位に設けられ、当接案内部７は、掛金３との当接部位の少なくとも一部をなす。
当接案内部７は、掛金３に向け凸状となる凸曲面である。当接案内部７は特に球面とするのが好ましい。当接案内部７は、作動杆４において掛金３の前記回転により変位する掛金３との当接部位の全域に渡って設けるのが好ましい。即ち、掛金３は当接案内部７とのみ当接して作動杆４の当接案内部７以外の部位とは当接しないものとするのが好ましい。但し当該当接部位の一部に当接案内部７を設けるものとしても実施できる。掛金３の被案内部３３を概ね当接案内部７と当接するものとできれば、作動杆４と掛金３夫々の回転の一過程において掛金３が作動杆４の当接案内部７以外の部位と当接することがあってもよい。例えば掛金３の回動にて当接案内部７を越えて被案内部３３が変位するものとし当接案内部７を越えた後は、当接案内部７と当接しないものとしてもよい。また、レバー２の起伏の終点に対応する掛金３の回動の終点へ到来してはじめて当接案内部７と被案内部３３とが当接状態になるものとしても実施できる。
【００２２】
この例では、図５（Ａ）（Ｂ）へ示す通り、当接案内部７は、球即ちボールを作動杆４へ取り付けて当接案内部７を形成する。具体的には、作動杆４の掛金３と当接する面へボールを受容する受容凹部４１を設けてボールを収容した後受容凹部４１の縁４２をかしめてボールが受容凹部４１から脱落しないようにする。当該ボールは受容凹部４１内にて自由に回転できるものとする。
上記ボールには金属球を採用することができる。安価な亜鉛合金で作動杆４を形成する場合など、ボールは鉄球、特に鋼球やステンレスを採用するのが好ましい。但しやセラミックなど金属以外の素材の採用を制限するものではない。尚図５において４０は作動杆４の先端（レバー２の背面側端部）を示している。
【００２３】
（操作）
図１（Ａ）、図２（Ａ）及び図３へ示す通り、レバー２を基体１へ伏しているとき、作動杆４は起立状態にあり、掛金３先端側を掛金受け部ｔ６へ係止する向きに止める。
作動杆４の当該起立状態のとき、図２（Ａ）へ示す通り、当接案内部７又は作動杆４の当接案内部７付近を当たりとし、掛金４の挿通部３２の被案内部３３の先端３０を下方に向ける動き即ち掛金３先端側を掛金受け部ｔ６から離脱する動きが規制されている。
扉ｋ２を開放するときには、付勢手段６１に抗しストッパ６のボタン６０を操作する。当該操作によりストッパ６を作動させストッパ６によるレバー２への拘束を解除する。拘束の解除によりレバー２が回転して起立する。レバー２の起立と一緒に作動杆４が回転して作動杆４が掛金３の挿通部３２の被案内部３３から離れる。作動杆４の規制が無くなった掛金３は前述の通り自重により先端３０を下方に向けるよう回転する。図２（Ｃ）へ示す通り、当該回転は最終的にガイド１７の規制部３４への当接により終了する。当該回転により掛金３の先端は掛金受け部ｔ６から離脱する。掛金３が掛金受け部ｔ６からの離脱した状態において、起立しているレバー２を引き手として掴んで引くことにより、扉ｔ２を開くことができるのである。
扉ｔ２にて開口を閉鎖する際には、扉ｔ２で開口を塞ぐと共にレバー２を指先で基体１へ向け伏せる方向に押し戻す。レバー２が戻される際、作動杆４が起立し再び掛金３先端３０側を掛金受け部ｔ６へ係止する位置に持ち上げる。レバー２が完全に伏す状態に畳まれると、レバー２はストッパ６の拘束を受け伏した状態に固定される。レバー２の当該固定により作動杆４は掛金３先端３０側を掛金受け部ｔ６へ係止する位置へ留め置く。
【００２４】
（変更例）
上記の実施の形態において、作動杆４は、レバー２を伏せることにて掛金３を押して掛金３を扉ｔ２から突出する方向へ回転させると共に掛金３の扉ｔ２から没する方向への回転を規制するものとした。この他、作動杆４は、レバー２を起立させることにて掛金３を押して掛金３を扉ｔ２からを没する方向へ回転させると共に掛金３の扉ｔ２から突出する方向への回転を規制するものとしても実施できる。
また掛金３は、ケーシング１へ軸止する代わりに扉へ軸止するものとしても実施できる。
上記において、ボールである当接案内部７は、受容凹部４１内で作動杆４に対し自由に回転することができるものとした。この他、当該ボールを作動杆４に対して回転しないように固定してもよい。但し当該ボールは回転可能とすることで、より円滑な掛金３の回転が期待できる。
また、作動杆４の当接案内部７を球面とする場合、図５（Ａ）（Ｂ）へ示すようにボールを用いる他、図５（Ｃ）へ示すようにリベットを作動杆４へ取り付けて当該リベットの半球状の頭部を当接案内部７とすることができる。また、図５（Ｄ）へ示す通り、作動杆４の掛金３と当接する面に作動杆４と一体の球状の突起を設けて当接案内部７とすることができる。また、図５（Ｅ）へ示す通り球状の突起を備える作動杆４と別体の板状部材４３を作動杆４へ溶接や圧着により固着するものとしても実施できる。
【００２５】
また、図５（Ｆ）及び図６（Ａ）（Ｂ）へ示すように、当接案内部７は、作動杆４の掛金３と当接する面において作動杆４の伸びる方向（実線矢印）と交差する方向（点線）を尾根ｍとするカゴボコ型に形成するものとしても実施できる。即ち作動杆４の掛金３と当接する面に、断面円弧状の山型の頂部が上記交差する方向（点線）へ伸びるよう当接案内部７を形成するものとしても実施できる。図５（Ｆ）及び図６（Ａ）（Ｂ）へ示すように当接案内部７を、頂部のなす上記尾根ｍが略直線である円柱状体（作動杆４から露出する部分は半円柱状）とする他、図６（Ｃ）（Ｄ）へ示すように当接案内部７について、上記尾根ｍが湾曲し当該尾根の他の位置よりも高い頂点ｐを備えるものとしても実施できる。また、図５（Ｆ）、図６（Ａ）（Ｂ）及び図６（Ｃ）（Ｄ）では、当接案内部７の左右側面７０は鉛直に立ち上がるものとした。この他図示は省略するが、上記左右側面７０は上方へ向け互いの間隔を狭める傾斜したものとしても実施できる。更に図６（Ｅ）〜（Ｈ）へ示す通り、当接案内部７の左右側面７０と前後端面７１が、当接案内部７の他の部位と異なる曲率の曲面又は平面をなすものとしても実施できる。この図６（Ｅ）〜（Ｈ）へ示す例では、図６（Ｈ）へ示す通り、当接案内部７は、略四角錐台の各頂点を丸めた形状とし且つ左右側面７０と前後面７１以外の部位は上方へ向け凸となる凸曲面とする。また、図６（Ｅ）〜（Ｈ）へ示す例では、左右側面７０と前後端面７１とはほぼ平面状としたが、上記凸曲面よりも緩やかな曲面をなすものとしても実施できる。図６（Ｅ）〜（Ｈ）において、７２は左右側面７０と上記凸曲面との境界線を示し、７３は前後端面７１と上記凸曲面との境界線を示す。各境界線７１，７２は線として現れる角の立ったものとしてもよい。また各境界線７１，７２は当該角を立てないものとしてもよい。即ち、各境界線７１，７２は、明瞭な線として現れない仮想線としても実施できる。
この図６（Ｅ）〜（Ｈ）へ示す例においても、作動杆４を安価で柔らかい亜鉛合金などの金属で形成する場合、当接案内部７を鉄やステンレスなどの作動杆４よりも硬い金属で形成し、当接案内部７を作動杆４へ取り付けるものとして実施することができる。作動杆４の素材を亜鉛合金よりも硬度の高い素材にて形成する場合、作動杆４と一体に即ち作動杆４の一部を当接案内部７として造形して実施することも可能である。また、この他、図６（Ｅ）〜（Ｈ）へ示す形状に当接案内部７を形成する場合、図６（Ｅ）と同様の手法を採るものとしてもよい。
図５（Ｆ）及び図６（Ｃ）（Ｄ）へ示すものにあって、当接案内部７を作動杆４と一体に形成する他、図５（Ｂ）のボールと同様に、円柱状のコロを作動杆４へ取り付けるものとしても実施できる。前記コロを用いる場合、回転できるものとしもよく、回転できないものとしてもよい。
図５（Ｇ）（Ｈ）へ示す通り、作動杆４の掛金３と当接する面を、凸の頂部が作動杆４の伸びる方向へ沿って尾根ｎをなす凸曲面として形成し、当該凸曲面を当接案内部７としても実施できる。
また、図５（Ｉ）へ示す通り、作動杆４と別体に形成された当て金４４を作動杆４へ取り付けて当接案内部７を形成するものとしても実施できる。図５（Ｉ）には、当て金４４を作動杆４へ嵌合するものを例示する。
尚施錠が不要であれば錠部材８を設けずに実施してよい。また錠部材８はケーシング１側に設けるものとしても実施できる。
【符号の説明】
【００２６】
１    ケーシング（基体）
２    レバー
３    掛金
４    作動杆
５    付勢部材
６    ストッパ
７    当接案内部
８    錠部材
１０    ケーシング本体
１１    固定部材
１２    パッキン
１３    収容部
１４    フランジ
１５    開放部
１６    留具
１７    ガイド
２０  （レバー２の）先端
３０  （掛金３の）先端
３１  （掛金３の）枢軸
３２  （掛金３の）挿通部
３３  （挿通部３２の）被案内部
３４  （挿通部３２の）規制部
４０  （作動杆４の）先端
４１  （作動杆４の）受容凹部
４２  （受容凹部４１の）縁
６０  （ストッパ６の）ボタン
６１  （ストッパ６の）付勢手段
８０  （錠部材８の）前面
８１  （錠部材８の）鍵穴
８２  （錠部材８の）ラッチ
ｇ      軸
ｈ      平面ハンドル
ｍ    （当接案内部７の）尾根
ｔ      配電盤ボックス
ｔ１  （配電盤ボックス１の）本体
ｔ２  （配電盤ボックス１の）扉
ｔ３  （扉ｔ２の）ハンドル取付面  
ｔ４  （扉ｔ２の）取付孔
ｔ５  （取付面ｔ３と反対側の）反対面
ｔ６    掛金受け部
【図１】
2017115293.tif 000003
【図２】
2017115293.tif 000004
【図３】
2017115293.tif 000005
【図４】
2017115293.tif 000006
【図５】
2017115293.tif 000007
【図６】
2017115293.tif 000008
【図７】
2017115293.tif 000009